(57)【要約】【目的】遊具の支柱として脚立を利用する。【構成】脚立１の頂部１１に被せるキャップ部２を設け、このキャップ部２にスライダー３を連結する。スライダー３を斜めに配置し、中間部を支持ポール４で支持することにより滑り台を形成する。スライダー３は分割片３ａ〜３ｅに分割され、連結具５で連結・分離自在である。脚立１のステップ１４を利用して、キャップ部２の上へ登り、スライダー３を滑り降りる。これにより、脚立１が滑り台の支柱として利用可能になる。【選択図】    図１
2005131253.tif 000002
【特許請求の範囲】
【請求項１】
脚立の頂部に被さるとともに遊具部が接続されたキャップ部を備え、このキャップ部を前記脚立の頂部へ被せることにより脚立を支柱として利用することを特徴とする脚立を利用した遊具。
【請求項２】
前記遊具部としてスライダーを備えた滑り台であることを特徴とする請求項１の脚立を利用した遊具。
【請求項３】
前記スライダーを前記キャップ部へ着脱自在に接続するとともに、複数の分割片に分割されることを特徴とする請求項２の脚立を利用した遊具。
【請求項４】
前記遊具部が前記キャップ部に支持された腕部を有するブランコであることを特徴とする請求項１の脚立を利用した遊具。
【請求項５】
前記遊具部が回転ブランコであり、前記キャップ部は、回転腕部の回転軸を支持することを特徴とする請求項１の脚立を利用した遊具。
【請求項６】
前記遊具部がシーソーであり、前記キャップ部は揺動板の揺動支点を支持することを特徴とする請求項１の脚立を利用した遊具。
【発明の詳細な説明】
【技術分野】
【０００１】
この発明は、脚立を支柱として利用できるようにした遊具に関する。
【背景技術】
【０００２】
家庭用遊具として支柱を必要とするものがある。例えば、滑り台はスライダーを斜めに設置し、その一端をはしご状の支柱により支持し、この支柱を登ってスライダーの上部から滑り降りるようになっている。
【発明の開示】
【発明が解決しようとする課題】
【０００３】
ところで、上記滑り台等の遊具に用いられる支柱は、ある程度の剛性を要求され、かつ子どもの身長程度もしくはそれ以上の高さを要するものであることが多いから、比較的大型の部材となり、これを一般家庭で保管することは、比較的大きな保管スペース確保の点で好まれない。一方、一般家庭には、踏み台や作業台又ははしごとして使用する脚立が備えられていることが多い。
そこで、この脚立を支柱に利用できれば、保管の邪魔になりがちな遊具専用の支柱を省略できることになる。本願発明はこのを着想に基づくものである。なお、このような脚立の使用は知られていない。
【課題を解決するための手段】
【０００４】
上記課題を解決するため本願発明の脚立を利用した遊具に係る請求項１の発明は、脚立の頂部に被さるとともに遊具部が接続されたキャップ部を備え、このキャップ部を前記脚立の頂部へ被せることにより脚立を支柱として利用することを特徴とする。
【０００５】
請求項２の発明は上記請求項１において、前記遊具部として前記キャップ部へ接続するスライダーを備えた滑り台であることを特徴とする。
【０００６】
請求項３の発明は上記請求項２において、前記スライダーを前記キャップ部へ着脱自在に接続するとともに、複数の分割片に分割されることを特徴とする。
【０００７】
請求項４の発明は上記請求項１において、前記遊具部が前記キャップ部に支持された腕部を有するブランコであることを特徴とする。
【０００８】
請求項５の発明は上記請求項１において、前記遊具部が回転ブランコであり、前記キャップ部は、回転腕部の回転軸を支持することを特徴とする。
【０００９】
請求項６の発明は上記請求項１において、前記遊具部がシーソーであり、前記キャップ部は揺動板の揺動支点を支持することを特徴とする。
【発明の効果】
【００１０】
請求項１によれば、遊具部が接続されたキャップ部を設け、これを脚立の頂部へ被せることにより、脚立を遊具の支柱として容易に利用することができる。また、キャップ部を脚立の頂部へ被せるだけで組み立てられるから、支柱の着脱が容易になる。したがって、一般家庭に備えられていることの多い脚立を有効利用でき、遊具専用の支柱を省略でき、遊具の保管を容易にする。しかも脚立は踏み台や作業台等の本来の用途にも使用できるから汎用性が増す。
【００１１】
請求項２によれば、遊具を滑り台とし、遊具部であるスライダーをキャップ部と接続させたので、脚立を支柱としてスライダーを容易に傾斜させて設置できる。しかも、脚立のステップを利用してスライダーの上部となる脚立の頂部へ登ることができる。
【００１２】
請求項３によれば、スライダーをキャップ部へ着脱自在に連結させたので、不使用時にはキャップ部とスライダーを分離してコンパクトに収納できる。
しかも、スライダーを複数の分割片で構成したので、不使用時に分割片を積み重ねることができ、さらにコンパクトな収納を可能にする。
【００１３】
請求項４によれば、遊具がブランコであり、キャップ部に支持された腕部を遊具部に利用してブランコを形成できるので、脚立をブランコの支柱に利用できる。そのうえキャップ部を脚立の頂部へ被せるだけで簡単にブランコを組み立てることができる。
【００１４】
請求項５によれば、遊具が回転ブランコであり、その遊具部である回転腕部の中心をキャップ部に支持された回転軸に連結したので、脚立の頂部へキャップ部を被せるだけで簡単に回転ブランコを組み立てることができる。
【００１５】
請求項６によれば、遊具がシーソーであり、キャップ部に遊具部である揺動板の揺動支点を支点支持させたので、キャップ部を脚立の頂部へ被せるだけで、簡単にシーソーを組み立てることができる。
【発明を実施するための最良の形態】
【００１６】
以下、図面に基づいて実施形態を説明する。図１〜１０は遊具を滑り台とした第１実施形態に関する。
図１は滑り台の組み立てた状態を示す斜視図である。滑り台は、脚立１を利用した支柱と、そのうえに被せられたキャップ部２と、これに接続された遊具部であるスライダー３と、このスライダー３を支持する支持ポール４を備える。キャップ部２は遊具部であるスライダー３と接続している。
【００１７】
スライダー３は複数の分割片３ａ〜３ｅを直線状に接続したものであり、それぞれは連結具５で着脱自在に連結される。分割片３ａとキャップ部２との間も同様の連結具５で着脱自在に連結される。
【００１８】
図中の拡大部は連結具５を示し、例えば、公知のクランプで構成される。図のＡに示す連結前の状態では、一方側に取付けられる本体５ａのクランプ係合部５ｂを相手側に取付けられている係止片５ｃへ係合する。この状態が図のＢに示す連結状態となる。
【００１９】
なお、連結具５は、クランプに限らず、ワンタッチ式に結合できるものであれば、プラスチックファスナー等の公知のものを適宜使用できる。
【００２０】
また、各分割片３ａ〜３ｅは連結具５により分割することができる。分割片３ａとキャップ部２の間も同様である。これらキャップ部２及びスライダー３は樹脂製等適宜部材からなる。
【００２１】
支持ポール４は、スライダー３の中間部を補助的に支持するための部材であり、スライダー３の長さに応じて１又は２以上を適宜間隔で設ける。支持ポール４の先端はスライダー３の側面に形成された係合凹部６へ着脱自在に嵌合する。
【００２２】
図２は脚立１及びキャップ部２の詳細構造を示す。図のＡは脚立１の斜視図であり、一対の枠１０，１０を脚立の頂部１１にてヒンジ１２により結合したものであり、ストッパ１３により所定の開き角で固定できるようになっている。
各枠１０，１０にはステップ１４が適当数設けられる。脚立１自体は公知のものである。
【００２３】
図のＢは図１のＢ矢示方向の図であり、キャップ部２は脚立１の頂部１１に被さり、グリップ７が設けられた左右の側部２０，２０間に凹部２１が形成され、通り抜けできるようになっている。
図のＣは図１のＣ矢示方向の図であり、キャップ部２の一側に分割片３ａが取付けられている。
図のＤは図１のＤ矢示方向の図、すなわちキャップ部２の底面図であり、脚立嵌合凹部２２が設けられ、ここに脚立の頂部１１が嵌合するようになっている。
図のＥはキャップ部２と分割片３ａの連結状態を示す側面図であり、前述のように連結具５で連結・分離が自在になっている。
【００２４】
図３は図２のＥにおける３−３線断面に相当する。キャップ部２の脚立嵌合凹部２２には、脚立１の頂部１１が、あまりガタの無い程度の比較的密に嵌合するようになっている。したがって、頂部１１へ被せるだけでキャップ部２を頂部１１へしっかりと取付けることができる。また、取り外しも容易である。
【００２５】
図４はスライダー３の構造を示し、図のＡは、スライダー３の一部として、分割片３ｂと分割片３ｃの連結状態を例示する。他の分割片もほぼ同様構造である。これらの分割片の側面には、連結具５及び係合凹部６が設けられている。各分割片は、分割時にほぼ同じ程度のサイズになるように分割される。
【００２６】
図のＢは、分割片の断面であり、略Ｕ字状断面をなす。また、連結具５は端部に適当数、例えば、左右及び下面へ計３個が取付けられる。
図のＣは連結具５の拡大図であり、図１に拡大して示すものと同じである。
【００２７】
図５は支持ポール４を説明する。図のＡは支持ポール４の高さ調節機構の一例を示し、支持ポール４は外筒４ａと内筒４ｂからなる伸縮自在のものであり、内筒４ｂの側面には長さ方向へ適当間隔で係合凹部４ｃが設けられ、これに外筒４ａのロックピン４ｄが係脱することにより、長さ調節可能になっている。
【００２８】
図のＡのうち、左側はロック状態、右側はアンロック状態を示す。なお、このような伸縮構造は公知の種々な構造を採用できる。
【００２９】
図のＢは、支持ポール４の分割片３ｂに対する取付を示し、外筒４ａの上端部４ｅを分割片３ｂの係合凹部６へ差し込むことにより、簡単に取付けできる。また、抜き取って取り外すことも容易である。
【００３０】
図６は頂部１１が異なる形状をなす脚立１の場合を示す。図のＡは脚立１の斜視図であり、この脚立１は折りたたみ式ではなく、枠１０，１０は連続し、開き角が固定されている。このため、頂部１１はアーチ状をなして左右に形成され、その間に幅広のステッププレート１４ａが設けられている。
【００３１】
図のＢはキャップ部２の取付状態を示し、キャップ部２は頂部１１に合わせて左右一対の側部２０，２０が形成され、その間はステッププレート１４ａに重なる凹部２１になっている。凹部２１は比較的薄い板状をなす。
【００３２】
図のＣはキャップ部２の上面視であり、凹部２１は側部２０よりもスライダー側へ引き込んで-短くなっており、ステッププレート１４ａの一部を露出させ、ステッププレート１４ａを踏み台に利用するようになっている。
【００３３】
図のＤはキャップ部２の底面を示し、脚立嵌合凹部２２は左右の側部２０毎に設けられ、凹部２１を挟んで左右一対をなして形成されている。
【００３４】
図のＥは側面視であり、脚立嵌合凹部２２は頂部１１が入るように若干大きめの略台形状をなす。この例ではグリップを設けていないが、頂部１１の一部を側部２０の上部から上方へ突出させれば、この突出部をグリップに利用できるとともに、別体のグリップを省略できる。
【００３５】
図７はスライダー３の形状を変更した別実施例である。すなわちスライダー３は複数の分割片からなるので、形状等の異なる複数種類の分割片を予め用意しておき、これを種々組み合わせることにより多くのバリエーションを得ることができる。
【００３６】
図のＡは、蛇腹部３０を有する分割片３ｆと略水平の降り口３１を有する分割片３ｇを備えた例である。分割片３ｆ及び３ｇは、図１における分割片３ａ，３ｅの代わりに用いる。
【００３７】
図のＢはスライダー３を短くした例であり、図のＡにおける状態から分割片３ｃ，３ｄを除いたものである。この場合、脚立１はステップの段数が少なく背の低い、踏み台的なものを使用する。
【００３８】
図のＣは、図１における分割片３ｃ〜３ｅに代えて、比較的長く、かつ途中に段部３２を設けて複数段に変化する段付分割片３ｈを設けた例である。
【００３９】
図のＤは図１における３ｃ〜３ｅに代えて、二股部３３を設けた二股分割片３ｉを接続したものである。
【００４０】
図８は、図７における各分割片３ｆから３ｉを示す図である。図のＡは分割片３ｆを３ｃとの連結状態で示し、蛇腹部３０を設けることにより、曲げや長さの日調節を可能にしている。
【００４１】
図のＢは、分割片３ｇを示し、全体が緩いＲ状をなし、先端が降り口３１をなすことにより、滑り降りたとき、身体が略水平になるため降りやすくなっている。
【００４２】
図のＣは段部３２を設けることにより、滑り降りるときに上下動が生じ、波乗り状の変化を出すようになっている。
【００４３】
図のＤは二股部３３により、滑り降りる方向を自由に変えて楽しむことができる。
【００４４】
図９は、スライダーを分割するときの状態を示す。例えば、図１と図７のＤにおける使用を可能にする組み合わせの場合は、Ａに示す分割片３ａ〜３ｅを適当単位（例えば、図のように２個づつ連結した状態）で分離して積み重ねる。図７のＢに示すキャップ部２，同Ｃに示す二股分割片３ｉ，Ｄに示す支持ポール４は積み重ねることができないので分離した状態のままである。
【００４５】
図１０はこのように分離したものを収納する状態を示し、図のＡに示すように、部屋の隅へ脚立１と、これと若干離した場所へキャップ部２，スライダー３，支持ポール４をひとまとめにして配置すればコンパクトな収納ができる。
図のＢに示すように、脚立１を他の部材とひとまとめにしてもよい。
【００４６】
このように、本実施形態によれば、遊具の一例である滑り台にキャップ部２を設け、これを脚立１の頂部１１へ被せることにより、脚立１を遊具の支柱として容易に利用することができる。また、キャップ部２を脚立１の頂部１１へ被せるだけで組み立てられるから、支柱の着脱が容易になる。したがって、一般家庭に備えられていることの多い脚立１を有効利用でき、遊具専用の支柱を省略でき、遊具の保管を容易にする。しかも脚立１は踏み台や作業台等の本来の用途にも使用できるから汎用性が増す。
【００４７】
また、スライダー３をキャップ部２と接続させて滑り台としたので、脚立１を支柱としてスライダー３を容易に必要な角度に傾斜させて設置できる。しかも、脚立１のステップ１４を利用してスライダー３の上部となる脚立１の頂部１１へ登ることができる。
【００４８】
そのうえ、スライダー３を連結部材５によりキャップ部２へ着脱自在に連結させたの
で、不使用時にはキャップ部２とスライダー３を分離してコンパクトに収納できる。しかも、スライダー３を複数の分割片で構成したので、不使用時に分割片を積み重ねることができ、さらにコンパクトな収納を可能にする。
【００４９】
図１１〜１４はブランコに適用した第２実施形態を示す。図１１は、組み立てた状態を示し、脚立１の頂部１１に略台形状をなすキャップ部２を被せ、これに設けた中心軸４０により左右へ延びる支持アーム４１の中心を支持する。
【００５０】
支持アーム４１は内外２重筒式の伸縮式ものであり、内筒である伸縮筒４２にフック４３を設けてブランコ座部４４を吊り下げてある。このブランコ座部４４はキャップ部２を挟んで左右一対で設けられる。この例では普通のブランコとして利用できるとともに、支持アーム４１の両側のブランコ座部４４へ同時に乗ることによりシーソーとしても使用できる。なお支持アーム４１とブランコ座部４４は遊具部を構成する。
【００５１】
図１２はキャップ部２の詳細を示し、キャップ部２は両側部２０間に凹部２１を設け、この凹部２１内に支持アーム４１が通るようになっている。支持アーム４１を貫通させる中心軸４０は直交方向に設けられ、側部２０の貫通穴２５を貫通し、外側からナット４５で固定される。
【００５２】
図１３は、中心軸４０及び支持アーム４１の詳細を示す。支持アーム４１と伸縮筒４２は支持アーム４１に設けたネジ４６を伸縮筒４２の係合穴４７と係脱することにより長さ調節される。中心軸４０の端部にはネジ４８が圧入され、これにナット４５が取付けられるようになっている。
【００５３】
図１４はキャップ部２の詳細を示し、図のＡは斜視図である。側部２０には貫通穴２５が貫通して設けられる。
【００５４】
図のＢは底面図であり、略正方形のキャップ部２に対して、その内側に略相似形をなして脚立嵌合凹部２２が形成されている。
【００５５】
図のＣは上面視であり、凹部２１は上面を横断して形成されている。左右のブランコ座部４４は個々に普通のブランコとして使用できるとともに、支持アーム４１が中心軸４０を中心にして揺動することにより、シーソーのような使用もできる。
【００５６】
このように本実施形態によれば、キャップ部２に支持された腕部である支持アーム４１を利用してブランコを形成できるので、脚立１をブランコの支柱に利用できる。そのうえキャップ部２を脚立１の頂１１部へ被せるだけで簡単にブランコを組み立てることができる。
【００５７】
図１５〜１７は、回転ブランコに適用した第３実施形態である。なお、多くの部分が第２実施形態に類似するものであるから、共通部は共通符号を用いて図示することにより重複説明を省略する。
【００５８】
図１５は組立状態を示し、キャップ部２の上面中央に回転軸５０が上下方向に支持され、この上端部に支持アーム４１の中心が支持される。支持アーム４１は、回転軸５０を中心にその軸線回りへ回転でき、支持アーム４１から延びる伸縮筒４２の先端に吊り下げられたブランコ座部４４も回転する。
【００５９】
図１６はキャップ部２の詳細を示し、キャップ部２の凹部２１内にホルダー筒５１が中心軸４０で支持され、このホルダー筒５１内へ回転軸５０の下部が回転自在に嵌合する。回転軸５０の上端には支持アーム４１は溶接等により一体化されている。
【００６０】
図１７は、回転機構を示す。図のＡ及びＢに示すように、中心軸４０，回転軸５０及び支持アーム４１が互いに直交する３軸として組み立てられる。支持アーム４１と伸縮筒４２の伸縮機構は図のＣに示され、中心軸４０の固定構造は図のＤに示され、それぞれ前実施形態と同様の構造である。
【００６１】
このように本実施形態によれば、回転腕部である支持アーム４１の中心をキャップ部２に支持された回転軸５０に連結したので、脚立１の頂部１１へキャップ部２を被せるだけで簡単に回転ブランコを組み立てることができる。
【００６２】
図１８〜２０はシーソーに適用した第４実施形態である。図１８は組立状態を示す。比較的背の低い脚立１にキャップ部２を被せ、その上部に設けられた支点軸６０にシーソー板６１が揺動自在に支持される。シーソー板６１は伸縮部６２を有する伸縮式であり、伸縮部６２にはグリップ６３を設けてある。両方の伸縮部６２の端部に座って支点軸６０を中心にシーソー板６１を揺動させることにより遊ぶことができる。
【００６３】
図１９は、キャップ部２部分を示す。シーソー板６１の中央部は両側から切り欠かれた幅狭部６４をなし、ここが左右の側部２０間の凹部２１内へ嵌合し、揺動可能になっている。なおシーソー板６１は遊具部を構成する。
【００６４】
図２０は、シーソー板６１の詳細を示す。支点軸６０は幅狭部６４の中央部を長さ方向の直交方向へ貫通して設けられる。シーソー板６１と伸縮部６２は内外２重筒式になっており、シーソー板６１の端部側面に設けられたネジ６５により伸縮部６２の長さを調節する。
【００６５】
図のＡは伸縮部６２を最もシーソー板６１側へ押し込んだ収縮状態である。図のＢは伸縮部６２を引き出した状態であり、図のＣに示すように、シーソー板６１のネジ６５を伸縮部６２の側面に設けた係合凹部６６との係脱により調節する。図のＤは支点軸６０の固定構造を示し、支点軸６０の端部に形成されたネジ６７にナット６８を外方から取付けることにより固定する。
【００６６】
このように本実施形態によれば、キャップ部２にシーソー板（揺動板）６１の揺動支点である支点軸６０を支点支持させたので、キャップ部２を脚立１の頂部１１へ被せるだけで、簡単にシーソーを組み立てることができる。
【００６７】
なお、本願発明は、上記実施形態に限定されない。例えば、遊具は上記したもの以外にも、支柱を必要とするものであれば、種々のものに適用可能である。また、脚立も前記した形式のものに限らず、公知の種々のものが利用でき、例えば、略Ｖ字状の開き角を有するものでなく、四角枠状をなすものでもよい。単なる踏み台であってもよい。
【図面の簡単な説明】
【００６８】
【図１】滑り台の組み立てた状態を示す斜視図
【図２】脚立及びキャップ部の詳細構造
【図３】図２のＥにおける３−３線断面図
【図４】スライダーの構造を示す図
【図５】支持ポールを説明する図
【図６】異なる形式の脚立に適用する別実施例を示す図
【図７】スライダーの形状を変更する実施例
【図８】各分割片の詳細を示す図
【図９】分割状態を示す図
【図１０】収納状態を示す図
【図１１】ブランコの組立状態を示す図
【図１２】キャップ部の詳細を示す図
【図１３】中心軸及び支持アームの詳細を示す図
【図１４】キャップ部の詳細を示す図
【図１５】回転ブランコの組立状態を示す図
【図１６】キャップ部の詳細を示す図
【図１７】回転機構を示す図
【図１８】シーソーの組立状態を示す図
【図１９】キャップ部部分を示す図
【図２０】シーソー板の詳細図
【符号の説明】
【００６９】
１：脚立、２：キャップ部、３：スライダー、４：支持ポール、５：連結具、６：係合凹部、２０：側部、２１：凹部、２２：脚立嵌合凹部、４０：中心軸、４１：支持アーム、４２：伸縮筒、４４：ブランコ座部、４５：ナット、５０：回転軸、５１：ホルダー筒、６０：支点軸、６１：シーソー板、６２：伸縮部
【図１】
2005131253.tif 000003
【図２】
2005131253.tif 000004
【図３】
2005131253.tif 000005
【図４】
2005131253.tif 000006
【図５】
2005131253.tif 000007
【図６】
2005131253.tif 000008
【図７】
2005131253.tif 000009
【図８】
2005131253.tif 000010
【図９】
2005131253.tif 000011
【図１０】
2005131253.tif 000012
【図１１】
2005131253.tif 000013
【図１２】
2005131253.tif 000014
【図１３】
2005131253.tif 000015
【図１４】
2005131253.tif 000016
【図１５】
2005131253.tif 000017
【図１６】
2005131253.tif 000018
【図１７】
2005131253.tif 000019
【図１８】
2005131253.tif 000020
【図１９】
2005131253.tif 000021
【図２０】
2005131253.tif 000022